(57)【要約】【課題】  頭部を前後左右に動かしても、かつらベースのネープ部が浮き上がったり、ずれたりすることのないかつらベースを提供する。【解決手段】  ネープ部１１の中央部１４の周囲を周縁部材１４ａ、１４ｂ、１４ｃ、１４ｄで囲んだかつらベースにおいて、前記周縁部材が、ネープ部の下端縁を囲う底辺部１４ｄを有し、該底辺部１４ｄが伸縮性を備え、前記周縁部材で囲まれた内側に、縦方向に伸縮自在な１以上の弾性片１５を架設し、ネープ部中央部１４の縦方向の弾性係数と横方向の弾性係数とを相違させた。【選択図】    図２
2014118647.tif 000002
【特許請求の範囲】
【請求項１】
ネープ部の周囲を周縁部材で囲んだかつらベースにおいて、前記周縁部材がネープ部の下端に、横方向に延びる底辺部を有し、該底辺部が伸縮性を備え、前記周縁部材で囲まれた内側に、縦方向に伸縮自在な１以上の弾性片を架設し、ネープ部の縦方向の弾性係数と横方向の弾性係数とを相違させたことを特徴とするかつらベース。
【請求項２】
ネープ部が、中央部と左右の両側部とに分かれ、前記底辺部が前記中央部の底辺で、前記弾性片が前記中央部にあることを特徴とする請求項１に記載のかつらベース。
【請求項３】
前記左右の両側部が、非伸縮部材により一体に成形されていることを特徴とする請求項２に記載のかつらベース。
【請求項４】
前記縦方向に伸縮自在な弾性片が、複数であり、かつ相互に離間していることを特徴とする請求項１から３のいずれかに記載のかつらベース。
【請求項５】
前記周縁部材が、ネープ部の上端縁を囲う上辺部を有し、該上辺部も伸縮性を有することを特徴とする請求項１から４のいずれかに記載のかつらベース。
【発明の詳細な説明】
【技術分野】
【０００１】
本発明は、かつらベースに関し、特に、ネープ部の密着性に優れ、装着時にズレにくく、フィット性に優れたかつらベースに関する。
【背景技術】
【０００２】
かつらは、装着したとき自然な外観を得ることが最大の目的であり、かつらを装着した者は、通常人と何ら変わりなく動作、行動できることが理想である。しかし、激しい動作によって、かつらが意図しない位置にズレてしまう、という問題がある。
【０００３】
従来から、かつらベースは、使用者の頭部の形状に合わせて形成され、ストッパーや両面テープや専用の接着剤などにより頭部に装着されるが、位置がズレないように、かつらのフィット性を向上させるための各種の工夫や改善がなされている。
【０００４】
かつらは、その大きさから「部分かつら」と「全頭かつら」に区分されるが、全頭かつらの方が大きく、重いため、装着時にズレる可能性が高い。そのため、全頭かつらにおいては特に、フィット性について考慮する必要性が高い。
【０００５】
このような問題に対し、特許文献１（実用新案登録第３０６５０９５号）では、側頭部とネープ部にＶ字状の切欠部を形成し、切欠部の入り口にゴム紐を架設したかつらベースを提案している。このように側頭部とネープ部が伸縮することで、かつらベースが頭部にフィットし易くしている。
【０００６】
しかし、特許文献１のかつらベースは、主として毛髪の伸びによる頭囲サイズの変動に対応したもので、切欠部の入り口には伸縮自在なゴム紐があるが、ゴム紐が縮んで切欠部に変形が生じても、Ｖ字を形成する２辺は非伸縮性なので、変形を吸収することができない。したがって、たとえば、頭部を前後に傾けるときに生じるかつらベースの変形には、かつらベースのネープ部がこの変形に十分に追従できず、かつらが剥がれたり、浮き上がったりする原因となっていた。
【０００７】
かつらのずり上がりを防止するものとして、特許文献２（特開２００７−３２１２９８号）では、ネープ部の中央領域を弾性ネットで覆ったかつらベースを提案している。
【０００８】
図４は、この特許文献２に記載されたかつらベースのネープ部の図である。ネープ部Ａは、中央部１と右側部２と左側部３とに分割して構成されており、右側部２と左側部３とは、ほぼ左右対称形状である。各部は、周囲を非伸縮性の周縁部材１ａ、２ａ、３ａで囲われていて、中央部１の周縁部材１ａの内側は、伸縮性のあるネット１ｂで覆われているが、右側部２と左側部３は、周縁部材２ａ、３ａも、これらに囲われる内側も非伸縮性の部材２ｂ、３ｂにより覆われている。伸縮性のあるネット１ｂは、半月状で、下端に向かって拡開する形状となっている。
【０００９】
そして、以上の構成により、ネープ部が襟足の丸みに密着し易く、使用者の頭部の上下左右の動きに追従して弾性ネットが伸縮可能になっている。
【００１０】
しかしながら、上記特許文献２のかつらベースは、ネープ部の中央部１が下端に向かって拡開する半月形状の弾性ネット１ｂで覆われてはいるものの、その周囲を非弾性のテープからなる周縁部材１ａで囲っているので、図の左右に示す矢印方向（横方向）には全く変形することができない。また、図の上下に示す矢印方向（縦方向）には若干の変形が可能なだけで、ネット１ｂの面積が小さいこともあって、変形できる量が少ない。そのため、ネープ部の変形に十分な追従ができず、やはり、ずれや浮き上がりが生じるおそれがある。
【００１１】
この例のように、ネープ部を伸縮性のネット１ｂで覆うのは、有効な方法ではあるが、必要な方向に必要なだけの伸縮力を得るためには、１枚の伸縮性のネット１ｂを全面に張る構造では達成できない。
【先行技術文献】
【特許文献】
【００１２】
【特許文献１】実用新案登録第３０６５０９５号
【特許文献２】特開２００７−３２１２９８号
【発明の概要】
【発明が解決しようとする課題】
【００１３】
本発明は、上記の問題の解消を目的としたもので、頭部を前後左右に動かしても、かつらベースのネープ部が浮き上がったり、ずれたりすることのないかつらベースを提供しようとするものである。
【課題を解決するための手段】
【００１４】
上記の目的を達成するために本発明のかつらベースは、ネープ部の周囲を周縁部材で囲んだかつらベースにおいて、前記周縁部材がネープ部の下端に、横方向に延びる底辺部を有し、該底辺部が伸縮性を備え、前記周縁部材で囲まれた内側に、縦方向に伸縮自在な１以上の弾性片を架設し、ネープ部の縦方向の弾性係数と横方向の弾性係数とを相違させたことを特徴としている。
【００１５】
ネープ部が、中央部と左右の両側部とに分かれ、前記底辺部が前記中央部の底辺で、前記弾性片が前記中央部にある構成としたり、前記左右の両側部が、非伸縮部材により一体に成形されている構成としたり、前記縦方向に伸縮自在な弾性片が、複数であり、かつ相互に離間している構成としたり、前記周縁部材が、ネープ部の上端縁を囲う上辺部を有し、該上辺部も伸縮性を有する構成としたりすることができる。
【発明の効果】
【００１６】
本発明によれば、周縁部材の底辺部が伸縮性をもっているので、かつらを装着した後、頭部（首）を前後、左右に振ってかつらベースに変形が加わっても、ネープ部の周縁部材の特に底辺部が伸縮することで、ネープ部の変形に十分な追従ができる。したがって、かつらがズレたり、浮き上がったりすることなく、フィット性に優れたかつらベースを得ることができる。
【００１７】
また、縦方向と横方向の弾性係数を相違させることによって、必要な方向に必要なだけ伸縮することができ、さらにフィット性が向上する。
【図面の簡単な説明】
【００１８】
【図１】本発明のかつらベースを頭部に装着した状態を示す斜視図で、（ａ）は頭部を真っ直ぐにした状態、（ｂ）は頭部を前方に傾けた状態、（ｃ）は頭部を後方に傾けた状態を示す各斜視図である。
【図２】本発明のかつらベースのネープ部の図で、（ａ）は頭部を前方に傾けたときの図で、（ｂ）は、頭部を後方に傾けた状態を示す図である。
【図３】本発明のかつらベースの他の実施例を示す図で、（ａ）は、中央部の上辺の周縁部材を伸縮性の部材とし、さらに、弾性片を格子状に設けた実施例、（ｂ）は、左側頭部と右側頭部の非伸縮部材が一体成形されている実施例である。
【図４】従来のかつらベースのネープ部の図である。
【発明を実施するための形態】
【００１９】
以下、本発明の実施の形態を、添付図面を参照して説明する。
図１は、本発明のかつらベース１０を頭部に装着した状態を示す斜視図で、（ａ）は頭部を真っ直ぐにした状態、（ｂ）は頭部を前方に傾けた状態、（ｃ）は頭部を後方に傾けた状態を示す各斜視図である。図２は、本発明のかつらベースのネープ部の図で、（ａ）は頭部を前方に傾けたときの図で、（ｂ）は、頭部を後方に傾けた状態を示す図である。また、本発明では、図２のクロスハッチングされた部分を弾性部材としている。
【００２０】
本発明のかつらベース１０は、装着者の頭部の立体的な形状に合わせて作られたもので、ネット状の繊維素材や、ポリウレタンやシリコンなどを用いた人工皮膚などを用いるが、本発明では特に素材は限定していない。かつらベース１０の後頭部の下端には、ネープ部１１がある。図２に示すように、ネープ部１１は、左側頭部１２と右側頭部１３と中央部１４とに分かれている。左側頭部１２と右側頭部１３とは、ほぼ対称形状である。
【００２１】
中央部１４は、上辺は周縁部材１４ａで、左辺は周縁部材１４ｂで、右辺は周縁部材１４ｃで、横方向である下辺は伸縮性の周縁部材１４ｄでそれぞれ囲まれている。この例では、周縁部材１４ｂ、１４ｃは、中央部１４の左右を囲うと同時に、左側頭部１２と右側頭部１３の三方をも囲っているが、中央部１４との境界以外の左側頭部１２と右側頭部１３を囲う部分は、別の周縁部材としてもよい。左側頭部１２の上辺１２ａと、右側頭部１３の上辺１３ａと、中央部の上辺の周縁部材１４ａは、かつらベース１０の本体となる部分に接続している部分である。中央部１４の周縁部材で囲われた内部には、縦方向に複数の伸縮性のテープからなる弾性片１５が相互に離間して架設されている。
【００２２】
頭部の動きとしては、前後左右方向に頭部を倒す動きや、左右に視線を動かす場合の左右方向へのねじりがあるが、ネープ部に最も大きな変形を与えるのは、頭部を前後方向へ倒す運動である。この動きによるネープ部の変形に追従できれば、その他の動きによるネープ部の変形には十分に対応できると考えられる。
【００２３】
図１（ｂ）、（ｃ）は、頭部を前後方向へ倒す状態を示す図である。図１（ｂ）に示すように、かつらベース１０を装着した頭部を前方に倒すと、左側頭部１２は、図２（ａ）の矢印に示すように、斜め左上方向に引っ張られる。一方右側頭部１３は、図の矢印に示すように、斜め右上方向に引っ張られる。ネープ部１１の中央部１４は、左右に引っ張られ、全体として破線に示すように上方に引っ張られる。そして、中央部１４の下辺を囲う周縁部材１４ｄには、下方に引っ張られて、周縁部材１４ｄは大きく弓状に下方に湾曲する。すなわち、図２（ａ）において、中央部１４の底辺となっている周縁部材１４ｄが伸縮性の部材からなるので、この力に応じて大きく弓状に下方に湾曲して十分に変形することができ、かつらベースのズレや、浮き上がりを防止することができる。
【００２４】
図２（ａ）に示すように、中央部１４には、伸縮性のテープからなる複数の弾性片１５が、相互に離間して架設されている。これらの弾性片１５は、その伸縮性により、周縁部材１４ｄが大きく弓状に下方に湾曲して変形するのに伴って伸びて、変形することができる。
【００２５】
図１（ｃ）に示すように、かつらベース１０を装着した頭部を後方に傾斜させると、中央部１４の下辺を囲う周縁部材１４ｄには、上方に押し上げる力が働く。図２（ｂ）に示すように、左側頭部１２は、図の矢印に示すように、斜め右下方向に押し下げられる。一方右側頭部１３は、図の矢印に示すように、斜め左下方向に押し下げられる。上側の周縁部材１４ａには引張力が加わり、全体にネープ部１１を押し下げるように作用する。これによって、下辺の周縁部材１４ｄは大きく上方に湾曲する。このとき、弾性片１５には縮む力が加わるので縮むことになる。
【００２６】
本発明では、周縁部材１４ｄと弾性片１５とは別部材なので、周縁部材１４ｄの弾性係数と、弾性片１５の弾性係数とは、同じにすることもできるが、異なる弾性係数にすることも可能である。また、複数の弾性片１５が相互に離間して配置されているので、弾性片１５には横方向の伸びに対する抵抗はない。
【００２７】
一般に、頭部を前後に傾ける動作により、ネープ部１１においては、縦方向の伸縮が大きく、横方向の伸縮（周縁部材１４ｄが湾曲することによる伸縮）は、縦方向より小さいので、弾性片１５の長さ方向である縦方向の弾性係数を小さくして伸びやすくし、周縁部材１４ｄの長さ方向である横方向の弾性係数は、縦方向のそれより大きくすると追従性が向上する。
【００２８】
図３（ａ）、（ｂ）は、本発明の別の実施例である。（ａ）に示す実施例では、中央部１４の底辺の周縁部材１４ｄだけでなく、上辺の周縁部材１４ａも伸縮性の部材とし、さらに、弾性片１５と交差する弾性片１６を設けた構成となっている。この構成により、中央部１４の全体が縦方向と横方向の双方向に伸縮自在となり、特に、左右方向の伸縮力を向上することができる。また、弾性片１５と弾性片１６とを格子状に配置したので、多数の弾性片を使用することとなり、細かな伸縮具合にも対応できるようになる。この場合、弾性片１５と弾性片１６の弾性係数は、同じにすることも、相違させることも可能である。
【００２９】
図３（ｂ）に示す実施例は、左側頭部１２と右側頭部１３の非伸縮部材が一体成形されている例である。すなわち、周縁部材１２ａ、１３ａ、１４ａ、１４ｂ、１４ｃが連続した構成である。伸縮されるエリア、すなわち中央部１４の底辺が非伸縮部材で囲われていなければよい。
【００３０】
以上の実施例では、ネープ部１１を左側頭部１２、右側頭部１３及び中央部１４の３つに分割した例であるが、中央部を左右に延長してこれら３つを一体として、ネープ部の全体に伸縮性を与えるようにしてもよい。
【００３１】
底辺の周縁部材１４ｄや、弾性片１５などの伸縮性部材は、伸縮性を備えた素材であれば、特に限定されない。たとえば、ゴムやスパンデックスなどのストレッチ素材や、バネなどの伸縮構造を持った素材でもよい。
【符号の説明】
【００３２】
１０  かつらベース
１１  ネープ部
１２  左側頭部
１３  右側頭部
１４  中央部
１４ａ、１４ｂ、１４ｃ、１４ｄ  周縁部材
１４ｄ  周縁部材（底辺部）
１５、１６  弾性片
【図１】
2014118647.tif 000003
【図２】
2014118647.tif 000004
【図３】
2014118647.tif 000005
【図４】
2014118647.tif 000006